(57)【要約】【課題】電磁波における特に磁界を遮断することができる電磁波シールドシート３、および電磁波シールドエプロン１を提供する【解決手段】銅材により形成して磁界Ｇ２を吸収する電磁波吸収層としての銅層５と、アルミ材により形成して磁界Ｇ２を遮断する電磁波遮断層としてのアルミ層７とを備え、前記アルミ層７を銅層５より人体側に配置して、磁界Ｇ２を遮断して人体を磁界Ｇ２から保護する電磁波シールドシートを形成した。【選択図】図２
2008093093.tif 000002
【特許請求の範囲】
【請求項１】
電磁波を遮断して保護対象を電磁波から保護する電磁波シールドシートであって、銅材又は鉄材により形成して電磁波を吸収する電磁波吸収層と、
アルミ材により形成して電磁波を遮断する電磁波遮断層とを備え、
前記電磁波遮断層を前記電磁波吸収層より保護対象側に配置した
電磁波シールドシート。
【請求項２】
前記電磁波吸収層を１０ミクロン以上の肉厚に形成した
請求項１記載の電磁波シールドシート。
【請求項３】
前記電磁波遮断層を約７ミクロンかそれ以上の肉厚に形成した
請求項１または２記載の電磁波シールドシート。
【請求項４】
請求項１、２または３記載の電磁波シールドシートを生地に重合配置して形成した
電磁波シールド衣服。
【発明の詳細な説明】
【技術分野】
【０００１】
この発明は、例えば保護対象を電磁波から保護するような電磁波シールドシートおよび電磁波シールド衣服に関し、特に心臓ペースメーカーの利用者の人体をＩＨクッキングヒーターなどの発する電磁波から保護するような電磁波シールド衣服に関する。
【背景技術】
【０００２】
現代社会では、携帯電話機やテレビなどの電波が大気中を飛び交っており、この電波が人体や精密機器に影響を与えることが知られている。また、近年では、磁場を発生させて電磁誘導加熱を行うＩＨ（Induction Heating）クッキングヒーターが提供されており、この磁場が人体や精密機器に影響を与えることも知られている。
【０００３】
このような電波や磁場は、精密機械である心臓ペースメーカーの動作を不安定にさせることがある。このため、心臓ペースメーカーを利用している利用者は、電波や磁場から心臓ペースメーカーを保護する衣服等を必要としてる。
【０００４】
一方、電波を遮断するものとして、例えば心臓ペースメーカー用電磁波シールド材が提案されている（特許文献１参照）。この心臓ペースメーカー用電磁波シールド材は、素材として導電材を用いることで、電波領域の電磁波を遮断できるとされている。
【０００５】
また、電磁波を遮断するものとして、例えば電磁波シールド着衣が提案されている（特許文献２参照）。この電磁波シールド着衣は、エプロンの裏地に銅または銅−すず合金メッキを施すことで、電磁波を遮断できるとされている。
【０００６】
しかし、これらのシールド材は、電波に対して有効であるものの、磁場を有効に遮断できるものではなかった。このため、ＩＨクッキングヒーターなどが放出する磁場から心臓ペースメーカーを守るといったことはできなかった。
【０００７】
【特許文献１】特開２００１−２０４８２８号公報
【特許文献２】特開平８−１１６１９１号公報
【発明の開示】
【発明が解決しようとする課題】
【０００８】
この発明は、上述した問題に鑑み、電磁波における特に磁界を遮断することができる電磁波シールドシート、および電磁波シールド衣服を提供することを目的とする。
【課題を解決するための手段】
【０００９】
この発明は、電磁波を遮断して保護対象を電磁波から保護する電磁波シールドシートであって、銅材又は鉄材により形成して電磁波を吸収する電磁波吸収層と、アルミ材により形成して電磁波を遮断する電磁波遮断層とを備え、前記電磁波遮断層を前記電磁波吸収層より保護対象側に配置した電磁波シールドシートであることを特徴とする。
【発明の効果】
【００１０】
この発明により、電磁波における特に磁界を遮断することができる。特に心臓ペースメーカーを利用している利用者が利用する場合に、該利用者の人体を、ＩＨクッキングヒーター等から放出される磁界から確実に保護することができる。
【発明を実施するための最良の形態】
【００１１】
この発明の一実施形態を以下図面と共に説明する。  
図１は、電磁波シールドシート３を用いた電磁波シールドエプロン１の正面図を示し、図２は電磁波シールドシート３を用いた電磁波シールド布２の断面図を示す。  
電磁波シールドエプロン１は、図１の正面図に示すように、電磁波シールド布２により、利用者Ｍの前面を首下から大腿部にかけて覆うことができる程度の大きさに構成されている。このため、利用者Ｍが電磁波シールドエプロン１を着衣すると、前面から見て心臓ペースメーカーＰの正面全体が電磁波シールドエプロン１により被覆される状態となる。
【００１２】
電磁波シールド布２は、図２の断面図に示すように、肉厚一定のシート状に形成された電磁波シールドシート３の表裏に布層４，９がそれぞれ重合配置されて構成されている。
【００１３】
布層４は、化学繊維または天然繊維など適宜の繊維材で構成している。  
化学繊維としては、再生繊維（レーヨン、キュプラなど）、半合成繊維（アセテート、プロミックスなど）、合成繊維（ナイロン、アラミド、ビニロン、ピリニデン、ポリ塩化ビニル、ポリエステル、アクリル、ポリエチレン、ポリプロピレン、ポリウレタン、ポリクラールなど）、または無機繊維（ガラス、炭素繊維、金属繊維など）といった繊維材を使用できる。  
天然繊維としては、植物繊維（綿、麻など）、または動物繊維（ウール、アンゴラ、カシミヤ、モヘア、キャメル、アルパカ、絹など）といった繊維材を使用できる。
【００１４】
電磁波シールドシート３は、人体の外側となる表側（図２の左側）から順に、銅層５、カーボン層６、アルミ層７、およびカーボン層８が重合配置されて構成されている。
【００１５】
銅層５は、銅材により形成されたシート状の層であり、約３５ミクロンの肉厚に形成されている。この銅層５は、他の素材により構成することも可能であるが、磁界を吸収する素材、磁界を通す素材、もしくは磁石が吸着する素材により構成することが好ましい。このような素材としては、銅材の他に鉄材、ニッケル材、亜鉛材等がある。この実施形態では、銅材を用いることにより、他の素材を用いるよりも原価を抑制して製造コストを低減している。  
また、銅層５の肉厚は、１０ミクロン以上であればよく、さらには２０ミクロン以上が好ましい。この実施形態では、電磁波遮断機能の確実性と、衣服に用いるための柔軟性とを両立させるために約３５ミクロンとしている。
【００１６】
カーボン層６，８は、いずれも炭素材によりシート状に形成された炭素シートで構成する層であり、適宜の肉厚に形成されている。この実施例では、アルミ層７の肉厚より薄く形成されている。  
このカーボン層６，８は、他の素材で構成することも可能であるが、磁気を放出する性質を有する絶縁材で構成して絶縁層とすることが好ましい。本実施の形態では、磁気を放出する素材として炭素を用いている。このカーボン層６，８は、銅層５とアルミ層７の帯電、磁気、電界を遮断し、電磁波を吸収する。
【００１７】
アルミ層７は、アルミ材により形成された肉厚一定のシート状の層であり、この実施例では肉厚が約７ミクロンに形成されている。このアルミ層７は、磁界を反射する素材、磁界を通さない素材、もしくは磁石が吸着しない素材で構成することが好ましい。本実施の形態では、帯電せずに放出する性質を有し、かつ軽量に形成できるアルミ材により構成している。
【００１８】
以上の構成により、電磁波シールドシート３は、電界および磁界の両方を遮断することができる。このため、携帯電話機が放出する８００ＭＨｚ、１．５ＧＨｚ、１．７ＧＨｚ、２ＧＨｚといった電波や、ＩＨクッキングヒーターが放出する周波数２０ｋＨｚ〜９０ｋＨｚの磁界を遮断することができる。
【００１９】
また、電磁波シールドシート３で構成した電磁波シールドエプロン１は、着衣した利用者の人体に電波や磁場が影響を与えることを防止できる。従って、心臓ペースメーカーＰを使用している利用者Ｍが電磁波シールドエプロン１を着ると、電波や磁場により心臓ペースメーカーＰの動作が不安定になることを防止できる。
【００２０】
この実施例で用いた電磁波シールドシート３は、電界についてのシールド特性をＫＥＣ法によって測定すると、図３の説明図の（Ａ）に示すように充分なシールド特性が得られる。
【００２１】
また、この電磁波シールドシート３は、磁界についてのシールド特性をＫＥＣ法によって測定すると、図３の説明図の（Ｂ）に示すように充分なシールド特性が得られる。
【００２２】
また、図４（Ａ）に示すように、ＩＣクッキングヒーター３０からは、使用中に磁界Ｇ１が放出されるが、上述した電磁波シールドエプロン１により、この磁界Ｇ１から心臓ペースメーカーＰを確実に保護することができる。
【００２３】
つまり、電磁波シールドエプロン１に用いられる電磁波シールドシート３における銅層５が、該銅層５内を磁界Ｇ２が通過することを許容することから、図４（Ｂ）に示すように、磁界Ｇ２を吸い付けて磁界吸収層として機能することができる。この銅層５の磁界吸収効果により、磁界Ｇ２に示すように磁力線の方向が変化し、何もない状態の磁界Ｇ１に示すように電磁波シールドシート３の側方を通って裏側へ回り込むことを防止できる。
【００２４】
このように、電磁波シールドシート３を使用した電磁波シールドエプロン１により、人体を電波や磁場から保護することができる。特に、強力な磁界が放出されるＩＨクッキングヒーター３０に対しても、該ＩＨクッキングヒーター３０が放出する磁界Ｇ２を人体側に届かないように遮断することができる。
【００２５】
また、磁界Ｇ２が電磁波シールドエプロン１の側方から裏面へ回り込むことを銅層５の磁界吸収機能によって防止することで、シャツ等のように人体の前後左右の全体を被覆しなくとも、主に人体の前面にのみ存在する電磁波シールドエプロン１によって正面からの磁界Ｇ２が回り込んで人体に到達することを防止でき、磁界Ｇ２が心臓ペースメーカーＰに悪影響を与えることを防止できる。
【００２６】
また、銅層５の裏面側には、アルミ層７が配置されているため、磁界Ｇ２が人体側へ通過することをこのアルミ層７により確実に遮断することができる。特に、銅層５とアルミ層７の間に絶縁層となるカーボン層６が挟まれているため、銅層５による磁界吸収機能とアルミ層７による磁界遮断機能をいずれも効果的に発揮させることができ、磁界を効率良く遮断できる。
【００２７】
また、銅層５の肉厚を約３５ミクロン、アルミ層７の肉厚を約７ミクロンとし、カーボン層６，８の肉厚をさらに薄く構成したことにより、充分な電磁波遮断性能を得た上で、電磁波シールドシート３の柔軟性を確保することができる。従って、この電磁波シールドシート３を用いた電磁波シールドエプロン１を着用しても、利用者はごわつき感を感じることがなく、快適に使用することができる。
【００２８】
なお、この実施形態では、上着形状の電磁波シールドエプロン１を形成したが、電磁波シールドシート３を用いて、上衣、パンツ、スカート、マフラー、手袋、下着など、適宜の衣服を形成することもできる。
【００２９】
また、銅層５は、銅材により形成したが、鉄材により形成して鉄層とする、ニッケル材により形成してニッケル層とする、あるいは亜鉛材により形成して亜鉛層としてもよい。この場合、鉄層やニッケル層や亜鉛層の肉厚は、１０ミクロン以上であればよく、好ましくは２０ミクロン以上がよく、さらに好ましくは約３５ミクロン程度とすると良い。この場合でも、鉄層、ニッケル層または亜鉛層によって磁界Ｇ２を吸収することができ、磁界Ｇ２の回り込みを防止することができる。
【００３０】
また、カーボン層６，８は、炭素材により形成したが、これに限らず他の絶縁部材等によって形成してもよい。この場合でも、銅層５（若しくは鉄層）の磁界吸収性能と、アルミ層７の磁界遮断性能とをそれぞれ効果的に発揮させることができる。
【００３１】
また、電磁波シールドシート３は、通気性や柔軟性を確保するための加工を施しても良い。例えば、図５の斜視図に示すように、複数の孔１１を設けて通気性の良い電磁波シールドシート３ａとしてもよい。この場合、孔１１の直径は、１．５ｍｍ以下であればよく、約１ｍｍとすることが好ましい。電磁波シールドシート３ａを構成する各層の肉厚および材質は上述した実施形態と同一にすればよい。
【００３２】
これにより、通気性を高めることができ、また孔１１がない場合よりも柔軟性が向上してごわつき感を無くすことができる。従って、通気性と柔軟性の両方から着用感を良好にすることができる。また、このように微小の孔１１を複数形成しても、電磁波を充分遮断することができる。
【００３３】
また、図６の斜視図に示すように、複数のディンプル（くぼみ）１３を設けて凹凸のある電磁波シールドシート３ｂとしてもよい。この場合、ディンプル１３は、銅層５側を凹状にしてアルミ層７側を凸状にする、あるいは銅層５側を凸状にしてアルミ層７側を凹状にするとよい。電磁波シールドシート３ａを構成する各層の肉厚および材質は上述した実施形態と同一にすればよい。これにより、凹凸の無い電磁波シールドシート３よりも柔軟性を高めることができ、着用感を良好にすることができる。また、ディンプル１３があることにより、人体に対する密着間が軽減され、この点からも着用感を良好にすることができる。
【００３４】
この発明の構成と、上述の実施形態との対応において、
この発明の電磁波シールド衣服は、実施形態の電磁波シールドエプロン１に対応し、
以下同様に、
生地は、布層４，９に対応し、
電磁波吸収層は、銅層５に対応し、
電磁波遮断層は、アルミ層７に対応するも、
この発明は、上述の実施形態の構成のみに限定されるものではなく、多くの実施の形態を得ることができる。
【図面の簡単な説明】
【００３５】
【図１】電磁波シールドエプロンの正面図。
【図２】電磁波シールド布の断面図。
【図３】電磁波シールドシートの電界および磁界に対する遮断性能の説明図。
【図４】磁界の回り込み防止効果の説明図。
【図５】他の実施例の電磁波シールドシートの斜視図。
【図６】他の実施例の電磁波シールドシートの斜視図。
【符号の説明】
【００３６】
１…電磁波シールドエプロン、３，３ａ，３ｂ…電磁波シールドシート、４，９…布層、５…銅層、７…アルミ層、Ｇ１，Ｇ２…磁界
【図１】
2008093093.tif 000003
【図２】
2008093093.tif 000004
【図３】
2008093093.tif 000005
【図４】
2008093093.tif 000006
【図５】
2008093093.tif 000007
【図６】
2008093093.tif 000008